【手続補正書】
【提出日】平成27年5月18日(2015.5.18)
【手続補正１】
【補正対象書類名】特許請求の範囲
【補正対象項目名】全文
【補正方法】変更
【補正の内容】
【特許請求の範囲】
【請求項１】
下記の化学式１Ｂで表される反復単位、下記の化学式１Ｃで表される反復単位、またはこれらの組み合わせを含む第１セグメント（ｓｅｇｍｅｎｔ）；及び
下記の化学式５で表される反復単位を含む第２セグメントを含むポリ（アミド−イミド）ブロックコポリマー：
【化１】
2012241196.tif 000001
上記化学式１Ｂ中、
Ｒｂは、下記の化学式からなる群より選択されるものであり：
【化２】
2012241196.tif 000002
Ｒ２は、下記の化学式からなる群より選択されるものであり：
【化３】
2012241196.tif 000003
Ｒ３及びＲ４は、同一であるかまたは相異なり、それぞれ独立的にハロゲン原子、ヒドロキシ基、アルコキシ基（−ＯＲ２００、ここでＲ２００はＣ１〜Ｃ１０の脂肪族有機基である）、シリル基（−ＳｉＲ２０１Ｒ２０２Ｒ２０３、ここでＲ２０１、Ｒ２０２及びＲ２０３は同一であるかまたは相異なり、それぞれ独立的に水素原子、Ｃ１〜Ｃ１０の脂肪族有機基である）、置換または非置換されたＣ１〜Ｃ１０の脂肪族有機基、またはＣ６〜Ｃ２０の芳香族有機基であり、
ｎ１及びｎ２は、それぞれ独立的に０〜４の整数であり、
【化４】
2012241196.tif 000004
上記化学式１Ｃ中、
Ｒ５は、Ｒ２について定義したものと同一であり、
Ｒ６及びＲ７は、それぞれ独立的にＣ１〜Ｃ２のハロアルキル基であり、
Ｒ８及びＲ９は、同一であるかまたは相異なり、それぞれ独立的にハロゲン原子、ヒドロキシ基、アルコキシ基（−ＯＲ２０４、ここでＲ２０４はＣ１〜Ｃ１０の脂肪族有機基である）、シリル基（−ＳｉＲ２０５Ｒ２０６Ｒ２０７、ここでＲ２０５、Ｒ２０６及びＲ２０７は、同一であるかまたは相異なり、それぞれ独立的に水素原子、Ｃ１〜Ｃ１０の脂肪族有機基である）、置換または非置換されたＣ１〜Ｃ１０の脂肪族有機基、またはＣ６〜Ｃ２０の芳香族有機基であり、
ｎ３は１〜４の整数であり、ｎ５は０〜４の整数であり、ｎ３＋ｎ５は１〜４の整数であり、
ｎ４は１〜４の整数であり、ｎ６は０〜４の整数であり、ｎ４＋ｎ６は１〜４の整数であり、
【化５】
2012241196.tif 000005
上記化学式５中、
Ｒ１１は、それぞれの反復単位で同一であるかまたは相異なり、それぞれ独立的にＣ３〜Ｃ３０の脂肪族有機基、置換または非置換されたＣ３〜Ｃ３０の脂環族有機基、置換または非置換されたＣ６〜Ｃ３０の芳香族有機基を含み、前記芳香族有機基は単独で存在するか；２つ以上が互いに接合されて縮合環を形成するか；２つ以上が単結合、置換または非置換されたＣ１３〜Ｃ２０のフルオレニレン基、−Ｃ（＝Ｏ）−、−Ｓ（＝Ｏ）２−、−Ｓｉ（ＣＨ３）２−、−（ＣＦ２）ｑ−（ここで、ｑは、１≦ｑ≦１０）、−Ｃ（ＣＨ３）２−、−Ｃ（ＣＦ３）２−、または−Ｃ（＝Ｏ）ＮＨ−によって連結されており、前記置換されたＣ６〜Ｃ３０の芳香族有機基は、ハロゲン原子、ニトロ基、シアノ基、Ｃ１〜Ｃ２のハロアルキル基、Ｃ１〜Ｃ６のアルカノイル基、およびＣ１〜Ｃ６のエステル基からなる群より選択される電子吸引基（ｅｌｅｃｔｒｏｎ  ｗｉｔｈｄｒａｗｉｎｇ  ｇｒｏｕｐ）に置換され、
Ｒ１２及びＲ１３は、同一であるかまたは相異なり、それぞれ独立的にハロゲン原子、ヒドロキシ基、アルコキシ基（−ＯＲ２０８、ここでＲ２０８はＣ１〜Ｃ１０の脂肪族有機基である）、シリル基（−ＳｉＲ２０９Ｒ２１０Ｒ２１１、ここでＲ２０９、Ｒ２１０及びＲ２１１は、同一であるかまたは相異なり、それぞれ独立的に水素原子、Ｃ１〜Ｃ１０の脂肪族有機基である）、Ｃ１〜Ｃ１０の脂肪族有機基、Ｃ３〜Ｃ３０の脂環族有機基、またはＣ６〜Ｃ２０の芳香族有機基であり、
ｎ７及びｎ８はそれぞれ独立的に０〜３の整数である。
【請求項２】
前記Ｒ６及びＲ７は、同一であるかまたは相異なり、それぞれ独立的に−ＣＦ３、−ＣＣｌ３、−ＣＢｒ３または−ＣＩ３である、請求項１に記載のポリ（アミド−イミド）ブロックコポリマー。
【請求項３】
Ｒ１１は、それぞれの反復単位で同一であるかまたは相異なり、それぞれ独立的にＣ３〜Ｃ３０のアルキレン基、Ｃ３〜Ｃ３０のシクロアルキレン基、置換または非置換されたＣ６〜Ｃ３０のアリーレン基であり、前記Ｃ６〜Ｃ３０のアリーレン基は単独で存在するか；２つ以上が互いに接合されて縮合環を形成するか；２つ以上が単結合、Ｃ１３〜Ｃ２０のフルオレニレン基、−Ｃ（＝Ｏ）−、−Ｓ（＝Ｏ）２−、−Ｓｉ（ＣＨ３）２−、−（ＣＦ２）ｑ−（ここで、ｑは、１≦ｑ≦１０）、−Ｃ（ＣＨ３）２−、−Ｃ（ＣＦ３）２−、または−Ｃ（＝Ｏ）ＮＨ−によって連結されており、前記置換されたＣ６〜Ｃ３０のアリーレン基は、ハロゲン原子、ニトロ基、シアノ基、Ｃ１〜Ｃ２のハロアルキル基、Ｃ１〜Ｃ６のアルカノイル基、およびＣ１〜Ｃ６のエステル基からなる群より選択される電子吸引基（ｅｌｅｃｔｒｏｎ  ｗｉｔｈｄｒａｗｉｎｇ  ｇｒｏｕｐ）に置換され、
Ｒ１２及びＲ１３は、同一であるかまたは相異なり、それぞれは独立的にハロゲン原子、ヒドロキシ基、Ｃ１〜Ｃ１０のアルキル基、Ｃ３〜Ｃ１０のシクロアルキル基、またはＣ６〜Ｃ２０のアリール基であり、
ｎ７及びｎ８は、それぞれ独立的に０〜３の整数である、請求項１または２のいずれか１項に記載のポリ（アミド−イミド）ブロックコポリマー。
【請求項４】
前記ポリ（アミド−イミド）ブロックコポリマーは、上記化学式１Ｂで表される反復単位、上記化学式１Ｃで表される反復単位、またはこれらの組み合わせを１個〜１０００個含むものである、請求項１〜３のいずれか１項に記載のポリ（アミド−イミド）ブロックコポリマー。
【請求項５】
前記第１セグメントは、５００ｇ／ｍｏｌ乃至５０，０００ｇ／ｍｏｌの重量平均分子量を有するものである、請求項１〜４のいずれか１項に記載のポリ（アミド−イミド）ブロックコポリマー。
【請求項６】
前記第１セグメントは、下記の化学式４で表される反復単位をさらに含むものである、請求項１〜５のいずれか１項に記載のポリ（アミド−イミド）ブロックコポリマー：
【化６】
2012241196.tif 000006
上記化学式４中、
Ｒ１４は、それぞれの反復単位で同一であるかまたは相異なり、それぞれ独立的に、−Ｏ−、−Ｓ−、−Ｃ（＝Ｏ）−、−ＣＨ（ＯＨ）−、−Ｓ（＝Ｏ）２−、−Ｓｉ（ＣＨ３）２−、−（ＣＨ２）ｐ−（ここで、１≦ｐ≦１０）、−（ＣＦ２）ｑ−（ここで、ｑは、１≦ｑ≦１０）、−Ｃ（ＣＨ３）２−、−Ｃ（ＣＦ３）２−、または−Ｃ（＝Ｏ）ＮＨ−であり、
Ｒ１５は、下記の化学式で表される：
【化７】
2012241196.tif 000007
上記化学式中、
Ｒ１８〜Ｒ２９は、同一であるかまたは相異なり、それぞれ独立的に重水素原子、ハロゲン原子、Ｃ１〜Ｃ１０の脂肪族有機基、或いはＣ６〜Ｃ２０の芳香族有機基であり、
ｎ１１及びｎ１４〜ｎ２０は、それぞれ独立的に０〜４の整数であり、
ｎ１２及びｎ１３は、それぞれ独立的に０〜３の整数であり、
Ｒ１６及びＲ１７は、同一であるかまたは相異なり、それぞれ独立的にハロゲン原子、ヒドロキシ基、アルコキシ基（−ＯＲ２１２、ここで、Ｒ２１２はＣ１〜Ｃ１０の脂肪族有機基である）、シリル基（−ＳｉＲ２１３Ｒ２１４Ｒ２１５、ここで、Ｒ２１３、Ｒ２１４及びＲ２１５は、同一であるかまたは相異なり、それぞれ独立的に水素原子、Ｃ１〜Ｃ１０の脂肪族有機基である）、Ｃ１〜Ｃ１０の脂肪族有機基、またはＣ６〜Ｃ２０の芳香族有機基であり、
ｎ９及びｎ１０は、それぞれ独立的に０〜４の整数である。
【請求項７】
Ｒ１４は、−Ｏ−、−Ｓ−、−Ｓ（＝Ｏ）２−、または−Ｃ（＝Ｏ）−であり、
Ｒ１６〜Ｒ１７は、それぞれ独立的にハロゲン原子、ヒドロキシル基、Ｃ１〜Ｃ１０のアルキル基、或いはＣ６〜Ｃ１０のアリール基である、請求項６に記載のポリ（アミド−イミド）ブロックコポリマー。
【請求項８】
前記ポリ（アミド−イミド）ブロックコポリマーは、上記化学式５で表される反復単位を１個〜１０００個含む、請求項１〜７のいずれか１項に記載のポリ（アミド−イミド）ブロックコポリマー。
【請求項９】
前記第２セグメントは、５００ｇ／ｍｏｌ乃至５０，０００ｇ／ｍｏｌの重量平均分子量を有する、請求項１〜８のいずれか１項に記載のポリ（アミド−イミド）ブロックコポリマー。
【請求項１０】
前記第１セグメントに含まれる全体反復単位と前記第２セグメントに含まれる全体反復単位は、９５：５〜５：９５のモル比を有する、請求項１〜９のいずれか１項に記載のポリ（アミド−イミド）ブロックコポリマー。
【請求項１１】
前記第２セグメントは、下記の化学式６で表される反復単位をさらに含むものである、請求項１〜１０のいずれか１項に記載のポリ（アミド−イミド）ブロックコポリマー：
【化８】
2012241196.tif 000008
上記化学式６中、
Ｒ１１は、それぞれの反復単位で同一であるかまたは相異なり、それぞれ独立的にＣ１〜Ｃ３０の脂肪族有機基、Ｃ３〜Ｃ３０の脂環族有機基、置換または非置換されたＣ６〜Ｃ３０の芳香族有機基を含み、前記芳香族有機基は単独で存在するか；２つ以上が互いに接合されて縮合環を形成するか；２つ以上が単結合、置換または非置換されたＣ１３〜Ｃ２０のフルオレニレン基、−Ｃ（＝Ｏ）−、−Ｓ（＝Ｏ）２−、−Ｓｉ（ＣＨ３）２−、−（ＣＦ２）ｑ−（ここで、１≦ｑ≦１０）、−Ｃ（ＣＨ３）２−、−Ｃ（ＣＦ３）２−、または−Ｃ（＝Ｏ）ＮＨ−によって連結されており、前記置換されたＣ６〜Ｃ３０のアリーレン基は、ハロゲン原子、ニトロ基、シアノ基、Ｃ１〜Ｃ２のハロアルキル基、Ｃ１〜Ｃ６のアルカノイル基、およびＣ１〜Ｃ６のエステル基からなる群より選択される電子吸引基（ｅｌｅｃｔｒｏｎ  ｗｉｔｈｄｒａｗｉｎｇ  ｇｒｏｕｐ）に置換され、
Ｒ１２及びＲ１３は、同一であるかまたは相異なり、それぞれ独立的にハロゲン原子、ヒドロキシ基、アルコキシ基（−ＯＲ２０８、ここで、Ｒ２０８はＣ１〜Ｃ１０の脂肪族有機基である）、シリル基（−ＳｉＲ２０９Ｒ２１０Ｒ２１１、ここで、Ｒ２０９、Ｒ２１０及びＲ２１１は、同一であるかまたは相異なり、それぞれ独立的に水素原子、Ｃ１〜Ｃ１０の脂肪族有機基である）、Ｃ１〜Ｃ１０の脂肪族有機基、またはＣ６〜Ｃ２０の芳香族有機基であり、
ｎ７及びｎ８は、それぞれ独立的に０〜３の整数である。
【請求項１２】
前記第１セグメントに含まれる全体反復単位と前記第２セグメントに含まれる全体反復単位は、９５：５〜５：９５のモル比を有する、請求項１１に記載のポリ（アミド−イミド）ブロックコポリマー。
【請求項１３】
前記化学式５で表される反復単位及び前記化学式６で表される反復単位は、９９：１〜１：９９のモル比で含まれる、請求項１１に記載のポリ（アミド−イミド）ブロックコポリマー。
【請求項１４】
前記化学式１Ｂで表される反復単位は下記の化学式７〜９で表される反復単位のいずれか一つ以上を含み、
前記化学式１Ｃで表される反復単位は下記の化学式１０〜１２で表される反復単位のいずれか一つ以上を含み、
前記化学式５で表される反復単位は下記の化学式１３で表される反復単位を含む、請求項１〜１３のいずれか１項に記載のポリ（アミド−イミド）ブロックコポリマー：
【化９】
2012241196.tif 000009
【化１０】
2012241196.tif 000010
【化１１】
2012241196.tif 000011
【化１２】
2012241196.tif 000012
【化１３】
2012241196.tif 000013
【化１４】
2012241196.tif 000014
【化１５】
2012241196.tif 000015
【請求項１５】
前記化学式４で表される反復単位は、下記の化学式１５〜１７で表される反復単位のいずれか一つ以上を含む、請求項６〜１４のいずれか１項に記載のポリ（アミド−イミド）ブロックコポリマー：
【化１６】
2012241196.tif 000016
【化１７】
2012241196.tif 000017
【化１８】
2012241196.tif 000018
【請求項１６】
請求項１〜１５のいずれか１項によるポリ（アミド−イミド）ブロックコポリマーを含む成形品（ａｒｔｉｃｌｅ）。
【請求項１７】
前記成形品は、フィルム、繊維（ｆｉｂｅｒ）、コーティング材または接着剤である、請求項１６に記載の成形品。
【請求項１８】
前記成形品は、３８０ｎｍ乃至７５０ｎｍの波長範囲で総光線透過率が８０％以上である、請求項１６または１７に記載の成形品。
【請求項１９】
前記成形品は、４００ｎｍ波長の光に対する光線透過率が５５％以上である、請求項１６〜１８のいずれか１項に記載の成形品。
【請求項２０】
前記成形品は、３５ｐｐｍ／℃以下の熱膨張係数を有する、請求項１６〜１９のいずれか１項に記載の成形品。
【請求項２１】
前記成形品は、３％以下のヘーズを有する、請求項１６〜２０のいずれか１項に記載の成形品。
【請求項２２】
前記成形品は、３％以下の黄色度（ｙｅｌｌｏｗ  ｉｎｄｅｘ、ＹＩ）を有する、請求項１６〜２１のいずれか１項に記載の成形品。
【請求項２３】
請求項１６乃至２２のいずれか１項による成形品を含むディスプレイ装置。
【請求項２４】
第１セグメントの前駆体を提供する段階；
第２セグメントの前駆体を提供する段階；
第１セグメントの前駆体と第２セグメントの前駆体を共重合する段階；及び
第２セグメントの前駆体をイミド化してポリ（アミド−イミド）ブロックコポリマーを製造する段階；
を含む、ポリ（アミド−イミド）ブロックコポリマーの製造方法であって、
前記ポリ（アミド−イミド）ブロックコポリマーは、請求項１〜１５のいずれか１項によるポリ（アミド−イミド）ブロックコポリマーを含むものである、製造方法。
【請求項２５】
請求項１〜１５のいずれか１項によるポリ（アミド−イミド）ブロックコポリマーを基板上に塗布して、層を形成する段階；
前記層を乾燥する段階；
前記層を前記基板から剥離する段階；
前記層を延伸する段階；及び
前記層を熱処理する段階；
を含む、請求項１〜１５のいずれか１項によるポリ（アミド−イミド）ブロックコポリマーを含む成形品の製造方法。
【請求項２６】
前記第１セグメントは前記化学式１Ｃで表される反復単位を含み、
前記化学式１Ｃで表される反復単位は下記の化学式１０〜１２で表される反復単位のいずれか一つ以上を含み、
前記化学式５で表される反復単位は下記の化学式１３で表される反復単位を含み、
前記化学式６で表される反復単位は下記の化学式１４で表される反復単位を含む、請求項１１〜１５のいずれか１項に記載のポリ（アミド−イミド）ブロックコポリマー：
【化１９】
2012241196.tif 000019
【化２０】
2012241196.tif 000020
【化２１】
2012241196.tif 000021
【化２２】
2012241196.tif 000022
【化２３】
2012241196.tif 000023
【請求項２７】
前記第１セグメントは、下記の化学式４で表される反復単位をさらに含み、
下記の化学式４で表される反復単位は、下記の化学式１５〜１７で表される反復単位のいずれか一つ以上を含む、請求項２６に記載のポリ（アミド−イミド）ブロックコポリマー：
【化２４】
2012241196.tif 000024
上記化学式４中、
Ｒ１４は、それぞれの反復単位で同一であるかまたは相異なり、それぞれ独立的に、−Ｏ−、−Ｓ−、−Ｃ（＝Ｏ）−、−ＣＨ（ＯＨ）−、−Ｓ（＝Ｏ）２−、−Ｓｉ（ＣＨ３）２−、−（ＣＨ２）ｐ−（ここで、１≦ｐ≦１０）、−（ＣＦ２）ｑ−（ここで、ｑは、１≦ｑ≦１０）、−Ｃ（ＣＨ３）２−、−Ｃ（ＣＦ３）２−、または−Ｃ（＝Ｏ）ＮＨ−であり、
Ｒ１５は、下記の化学式で表される：
【化２５】
2012241196.tif 000025
上記化学式中、
Ｒ１８〜Ｒ２９は、同一であるかまたは相異なり、それぞれ独立的に重水素原子、ハロゲン原子、Ｃ１〜Ｃ１０の脂肪族有機基、或いはＣ６〜Ｃ２０の芳香族有機基であり、
ｎ１１及びｎ１４〜ｎ２０は、それぞれ独立的に０〜４の整数であり、
ｎ１２及びｎ１３は、それぞれ独立的に０〜３の整数であり、
Ｒ１６及びＲ１７は、同一であるかまたは相異なり、それぞれ独立的にハロゲン原子、ヒドロキシ基、アルコキシ基（−ＯＲ２１２、ここで、Ｒ２１２はＣ１〜Ｃ１０の脂肪族有機基である）、シリル基（−ＳｉＲ２１３Ｒ２１４Ｒ２１５、ここで、Ｒ２１３、Ｒ２１４及びＲ２１５は、同一であるかまたは相異なり、それぞれ独立的に水素原子、Ｃ１〜Ｃ１０の脂肪族有機基である）、Ｃ１〜Ｃ１０の脂肪族有機基、またはＣ６〜Ｃ２０の芳香族有機基であり、
ｎ９及びｎ１０は、それぞれ独立的に０〜４の整数である。
【化２６】
2012241196.tif 000026
【化２７】
2012241196.tif 000027
【化２８】
2012241196.tif 000028